(57)【要約】      （修正有）【課題】インクの吐出安定性が高いインクジェット用インクを提供する。【解決手段】顔料と水とを含有するインクジェット用インクであって、式（１）で表される化合物を、インク全質量に対し、０．１〜２５．０質量％含有するインクジェット用インクであり、前記式（１）で表される化合物が、オキサゾリジノンであるインクジェット用インク。2015078304.tif 000009（Ｘ及びＹは各々独立に、Ｈ、ヒドロキシル基、メチル基及びメチロール基から選択される何れか）【選択図】なし【特許請求の範囲】
【請求項１】
顔料と水とを含有するインクジェット用インクであって、
下記式（１）で表される化合物を、インク全質量に対し、０．１質量％以上２５．０質量％以下含有することを特徴とするインクジェット用インク。
【化１】
2015078304.tif 000008
（式（１）中、Ｘ及びＹは、それぞれ独立に、水素原子、ヒドロキシル基、メチル基及びメチロール基から選択される何れかである。）
【請求項２】
前記式（１）で表される化合物が、オキサゾリジノンである請求項１に記載のインクジェット用インク。
【発明の詳細な説明】
【技術分野】
【０００１】
本発明はインクジェット用インクに関する。
【背景技術】
【０００２】
近年、インクジェット記録方法に用いるインク（インクジェット用インク）の色材として、耐水性や耐光性に優れた顔料が用いられている。しかしながら、顔料を含有するインク（顔料インク）は、吐出を間欠的に行った際に印字品位が低い場合があった。具体的には、一度顔料インクを吐出させた後、一定時間吐出を休止し、再び吐出を行うと、インクの吐出安定性が低くなる場合があった。特許文献１には、上記吐出安定性の低下を改善するために、アセチレングリコールを含有する顔料インクが検討されている。
【先行技術文献】
【特許文献】
【０００３】
【特許文献１】特開２００２−１２１４４８号公報
【発明の概要】
【発明が解決しようとする課題】
【０００４】
しかしながら、本発明者らの検討によると、特許文献１に記載の方法はある程度インクの吐出安定性は改善されはするものの、近年求められるレベルには達していなかった。
【０００５】
したがって、本発明の目的は、インクの吐出安定性が高いインクジェット用インクを提供することにある。
【課題を解決するための手段】
【０００６】
上記の目的は以下の本発明によって達成される。即ち、本発明にかかるインクジェット用インクは、顔料と水とを含有し、下記式（１）で表される化合物を、インク全質量に対し、０．１質量％以上２５．０質量％以下含有することを特徴とする。
【０００７】
【化１】
2015078304.tif 000002
【０００８】
（式（１）中、Ｘ及びＹは、それぞれ独立に、水素原子、ヒドロキシル基、メチル基及びメチロール基から選択される何れかである。）
【発明の効果】
【０００９】
本発明によれば、インクの吐出安定性が高いインクジェット用インクを提供することができる。
【図面の簡単な説明】
【００１０】
【図１】実施例の評価に用いる印字パターンを説明するための模式図である。
【図２】実施例の評価に用いる印字パターンを説明するための模式図である。
【発明を実施するための形態】
【００１１】
以下、好適な実施の形態を挙げて、本発明を詳細に説明する。
【００１２】
＜インクジェット用インク＞
本発明のインクは、顔料と水に加えて、下記式（１）で表される化合物を、インク全質量に対し、０．１質量％以上２５．０質量％以下含有する。
【００１３】
【化２】
2015078304.tif 000003
【００１４】
（式（１）中、Ｘ及びＹは、それぞれ独立に、水素原子、ヒドロキシル基、メチル基及びメチロール基から選択される何れかである。）
【００１５】
上記式（１）で表される化合物としては、オキサゾリジノンが挙げられる。オキサゾリジノンは式（１）中のＸ，Ｙが共に水素原子である。また、上記式（１）で表される化合物の含有量は、インク全質量に対し、２．０質量％以上２０．０質量％以下であることが好ましく、５．０質量％以上１５．０質量％以下であることがより好ましい。
【００１６】
顔料としては、従来公知のものを何れも用いることができる。中でも、カーボンブラックを用いることが好ましい。本発明における顔料の含有量は、インク全質量に対し、１．０質量％以上１０質量％以下であることが好ましく、０．５質量％以上６．０質量％以下であることがより好ましい。
【００１７】
また、樹脂分散顔料を用いた場合、顔料分散剤としては水溶性樹脂を用いることが好ましい。水溶性樹脂としては、スチレン−アクリル酸共重合体を用いることが好ましい。水溶性樹脂の重量平均分子量は、１，０００以上３０，０００以下であることが好ましい。また、水溶性樹脂の含有量（質量％）は、顔料の含有量（質量％）に対して、質量比率で０．２５倍以上４．００倍以下であることが好ましい。
【００１８】
本発明のインクは水を含むが、水と水溶性有機溶剤との混合物であってもよい。水溶性有機溶剤としては、特に限定されず、公知の水溶性有機溶剤を用いることができる。水溶性有機溶剤としては、具体的には、エタノール、メタノール、ポリエチレングリコール、２−ピロリドン、グリセリンなどが挙げられる。水溶性有機溶剤の含有量は、インク全質量に対して０．１質量％以上２５．０質量％以下であることが好ましい。また、水としては脱イオン水を用いることが好ましい。インク中の水の含有量は、インク全質量に対して２０．０質量％以上９５．０質量％以下であることが好ましい。
【実施例】
【００１９】
以下、実施例及び比較例を用いて本発明を更に詳細に説明する。本発明は、その要旨を超えない限り、下記の実施例によって何ら限定されるものではない。尚、以下の実施例の記載において、「部」とあるのは特に断りのない限り質量基準である。
【００２０】
［顔料分散液の調製］
＜ブラック顔料分散液の調製＞
下記成分を混合し、ウォーターバスで７０℃に加温し、樹脂を溶解させた水溶液を得た。
・スチレン−アクリル酸共重合体（重量平均分子量１０，０００）      ２．５部
・水酸化カリウム                                                ０．２５部
・イオン交換水                                                ８７．２５部
【００２１】
その後、上記水溶液に予めミキシングしておいたカーボンブラック  ＢＰ１１００（Ｃａｂｏｔ製）１０部とテトラヒドロフラン１部とを加え、３０分間プレミキシングを行った後、ナノマイザー（吉田機械興業製）を用い、粉砕分散回数を３０回として分散処理を行った。その後、更にエバポレーター（８０℃、８．５×１０３Ｐａ）でテトラヒドロフランを蒸発させることで、顔料分散液を得た。顔料分散液中の顔料の含有量は１０質量％であり、顔料分散液中の顔料の平均粒径をＮａｎｏｔｒａｃ  １５０（マイクロトラック製）を用いて測定したところ、４２ｎｍであった。
【００２２】
＜マゼンタ顔料分散液の調製＞
カーボンブラックをＣ．Ｉ．Ｐｉｇｍｅｎｔ  Ｒｅｄ１２２にかえた以外は上記＜ブラック顔料分散液の調製＞と同様の操作を行い、マゼンタ顔料分散液を得た。顔料分散液中の顔料の含有量は１０質量％であり、顔料分散液中の顔料の平均粒径は８１ｎｍであった。
【００２３】
＜シアン顔料分散液の調製＞
カーボンブラックをＣ．Ｉ．Ｐｉｇｍｅｎｔ  Ｂｌｕｅ１５：３にかえた以外は上記＜ブラック顔料分散液の調製＞と同様の操作を行い、シアン顔料分散液を得た。顔料分散液中の顔料の含有量は１０質量％であり、顔料分散液中の顔料の平均粒径は８７ｎｍであった。
【００２４】
［インクの調製］
＜ブラックインクの調製＞
下記表の成分を混合することで、ブラックインクを得た。
【００２５】
【表１】
2015078304.tif 000004
【００２６】
＜マゼンタインクの調製＞
下記表の成分を混合することで、マゼンタインクを得た。
【００２７】
【表２】
2015078304.tif 000005
【００２８】
＜シアンインクの調製＞
下記表の成分を混合することで、シアンインクを得た。
【００２９】
【表３】
2015078304.tif 000006
【００３０】
［評価］
上記で得た各インクを用いて、以下の評価を行った。評価結果を表４に示した。
【００３１】
＜着弾精度（印字間隔１０秒）の評価＞
各インクをインクカートリッジに入れ、インクジェット記録装置ＰＩＸＵＳ９６０ｉ（キヤノン製）に装着した。その後、図１のように、長方形パターン１、基準線１２ａ、１２ｂ、１３ａ、１３ｂ、１４及び評価線１５を印字した。記録媒体としては、ＰＲ１０１プロフォトペーパー（キヤノン製）を用いた。以下、図１及び図２の、着弾精度の評価の際に行った印字方法について、詳細に説明する。インクジェット記録装置の記録ヘッドを搬送しつつ、前記記録ヘッド上に６００ｄｐｉで１列に並んだ２５６個の吐出口からインクを吐出し、ベタ画像の長方形パターン１１を印字した。長方形パターン１１を印字した直後に２５６個の吐出口からインクを１滴ずつ吐出し、キャリッジ移動方向から見て１／４００インチずつの間隔が空くように、基準線１２ａ〜１４をそれぞれ印字した。基準線１２ａ〜１４を印字することで、図２のＡで示すような画像を形成した。その後、記録媒体を図１の記録媒体搬送方向に０．４３インチ搬送し、一定時間吐出を休止し、休止後、再び２５６個の吐出口からインクを１滴ずつ吐出し、評価線１５を印字した。尚、基準線１２ｂを印字してから、評価線１５を印字するまでの印字間隔が１０秒となるように吐出を休止した。その後、得られた評価線１５を構成する画素を光学顕微鏡（ＢＸ６０Ｍ、オリンパス製）とデジタルカメラＭａｇｎａＦｉｒｅ  ＳＰ（ＯＰＴＲＯＮＩＣＳ製）を用いて撮影した。撮影した画像を画像解析ソフトＩｍａｇｅ−Ｐｒｏ  Ｐｌｕｓ（Ｍｅｄｉａ  Ｃｙｂｅｒｎｅｔｉｃｓ製）を用いて評価線１５を構成する画素を解析し、画素それぞれの位置情報を得た。その後、得られた評価線１５を構成する画素の位置情報と、図２で示される線１６ａ、１６ｂ、１７ａ、１７ｂとを用い、下記の評価基準によって評価した。尚、線１６ａ、１６ｂ、１７ａ、１７ｂは、基準線１２ａ、１２ｂ、１３ａ、１３ｂ、１４を構成する画素列の中心線から、評価線１５の画素列が形成された方向に延長して得られる仮想線である。また、画素とは、吐出口１個から吐出されたインク１滴が形成する画像を指す。本発明においては、下記評価が４以上であれば十分な着弾精度（印字間隔１０秒）を有するとした。
【００３２】
（評価基準）
・６：評価線１５を構成するすべての画素の数に対する、線１６ａ及び１６ｂに挟まれた領域内に収まっていない画素の数の割合が１００分の１以下である。更に、線１７ａ及び１７ｂに挟まれた領域内に評価線１５を構成するすべての画素が収まっている。この評価では罫線を構成する画素に着弾乱れがないため、罫線は画像形成前の意図どおりの太さで見える。
・５：評価線１５を構成するすべての画素の数に対する、線１６ａ及び１６ｂに挟まれた領域内に収まっていない画素の数の割合が１００分の１より多く、２０分の１以下である。更に、線１７ａ及び１７ｂに挟まれた領域内に評価線１５を構成するすべての画素が収まっている。この評価では罫線を構成する画素に着弾乱れが殆ど小さいため、罫線は画像形成前の意図とほぼ同じ太さで見える。
・４：評価線１５を構成するすべての画素の数に対する、線１６ａ及び１６ｂに挟まれた領域内に収まっていない画素の数の割合が２０分の１より多い。更に、評価線１５を構成するすべての画素の数に対する、線１７ａ及び１７ｂに挟まれた領域内に領域内に１７に収まっていない画素の数の割合が１００分の１以下である。この評価では罫線を構成する画素の一部がごく僅か乱れるため、罫線は画像形成前の意図にくらべ極僅かに太っているように見える。
・３：評価線１５を構成するすべての画素の数に対する、線１６ａ及び１６ｂに挟まれた領域内に収まっていない画素の数の割合が２０分の１より多い。更に、評価線１５を構成するすべての画素の数に対する、線１７ａ及び１７ｂに挟まれた領域内に収まっていない画素の数の割合が１００分の１より多く、２０分の１以下である。この評価では罫線を構成する画素の極一部が理想着弾位置から離れてしまうため、罫線は画像形成前の意図にくらべ僅かに太っているように見えるばかりか、やや薄く見えてしまう。
・２：評価線１５を構成するすべての画素の数に対する、線１６ａ及び１６ｂに挟まれた領域内に収まっていない画素の数の割合が２０分の１より多い。更に、評価線１５を構成するすべての画素の数に対する、線１７ａ及び１７ｂに挟まれた領域内に収まっていない画素の数の割合が２０分の１より多い。この評価では罫線を構成する画素の一部が理想着弾位置から離れてしまうため、罫線は画像形成前の意図にくらべ太っているように見えるばかりか、薄く見えてしまう。
・１：一部のノズルでインクを吐出できない。この評価では罫線を構成する画素の一部が無くなってしまうため、罫線は画像形成前の意図にくらべかなり、薄く見えてしまう。
【００３３】
＜光学濃度（印字間隔１０秒）の評価＞
各インクを用い、上記した着弾精度の評価と同様の方法を用い、長方形パターン１１、基準線１４及び評価線１５が印字された印字物を得た。そのため、基準線１４を印字してから評価線１５を印字するまでの間隔（印字間隔）は１０秒であった。得られた印字物の基準線１４と評価線１５を上記と同様の方法で解析し、基準線１４及び評価線１５を構成する画素のそれぞれの光学濃度を測定し、基準線１４及び評価線１５の光学濃度の平均値を算出した。得られた基準線１４及び評価線１５の光学濃度を用い、下記の評価基準を用いて評価を行った。尚、本発明においては、下記評価基準が４以上であれば十分な光学濃度（印字間隔１０秒）を有するとした。
【００３４】
（評価基準）
・５：評価線１５の光学濃度が、基準線１４の光学濃度に対し±５％未満である。
・４：評価線１５の光学濃度が、基準線１４の光学濃度に対し±５％以上１０％未満である。
・３：評価線１５の光学濃度が、基準線１４の光学濃度に対し±１０％以上±２０％未満である。
・２：評価線１５の光学濃度が、基準線１４の光学濃度に対し±２０％以上±３０％未満である。
・１：評価線１５の光学濃度が、基準線１４の光学濃度に対し±３０％以上である。
【００３５】
＜光学濃度（印字間隔５秒）の評価＞
基準線１２ｂを印字してから評価線１５を印字するまでの間隔（印字間隔）を５秒とした以外は、上記した光学濃度（印字間隔１０秒）の評価で行った印字方法と同様の方法を用い、印字物を得た。得られた印字物について、上記した光学濃度（印字間隔１０秒）の評価と同様の方法及び評価基準で評価を行い、光学濃度（印字間隔５秒）の評価を行った。
【００３６】
【表４】
2015078304.tif 000007
【図１】
2015078304.tif 000010
【図２】
2015078304.tif 000011